(57)【要約】 【課題】   屋外での犬の散歩運動時に発生する脱糞を、地面等に落下させることなく直接に捕捉し、後処理においても、随伴者の手や器具を汚ごすことなく、人が使用する通常の大便器で流水処理できる、衛生的な犬糞処理具を提供する。【解決手段】                                                                     水溶性かつ柔軟性を有する円形状シートよりなる捕捉体１と、該捕捉体１を収容、保持する硬質、軽量素材よりなる有底円筒状の保持容器２と、該保持容器２の外側壁に傾斜して装着された握持杆３と、前記保持容器２に収容された捕捉体１の上部を被覆し、握持杆３などに装設された開閉手段により、自在に開閉する蓋体４と、捕捉体１の上周縁１ａを保持容器２の上周壁２ｈに固定する、伸縮性紐体７とよりなる。【選択図】   図１
0003102111.tif 000002
【実用新案登録請求の範囲】
【請求項１】
水溶性かつ柔軟性を有する円形状シート又は上方を開口とした有底の円筒状筒体よりなる犬糞捕捉体と、
前記犬糞捕捉体を収容、保持する、軽量かつ硬質素材よりなる有底円筒状の保持容器と、
前記保持容器の外側壁に装着された連結用アングルを介し、保持容器に傾斜して装着された握持杆と、
上面略中央部に垂直棒を立設し、また左側外周斜面部には蝶番取付板を水平状に突設してなり、前記保持容器に収容、保持された犬糞捕捉体の上周縁を被覆し、握持杆に連設された開閉手段により、自在に開閉する蓋体と、
前記犬糞捕捉体の上周縁を保持容器の上周壁に固定する、伸縮性紐体と、
よりなることを特徴とした、犬糞処理具。
【請求項２】
前記水溶性かつ柔軟性を有するシートが、紙又は不織布よりなることを特徴とする、請求項１記載の犬糞処理具。
【請求項３】
前記保持容器、蓋体及び握持杆などの素材が、硬質樹脂、鉄、アルミニウム又は木材であることを特徴とする、請求項１〜請求項２記載の犬糞処理具。
【考案の詳細な説明】
【技術分野】
【０００１】
本考案は、主に屋外における犬糞処理具に係り、詳しくは簡単な構成で、屋外での犬の散歩運動時に発生する脱糞を地面等に落下させることなく捕捉し、後処理においても、随伴者の手や器具を汚ごすことなく処理できる、衛生的な犬糞の処理具に関する。
【背景技術】
【０００２】
近年、ペットブームが到来し、犬猫などを飼育する個人、家庭が増加するとともに、各地域の都市化が進み、犬の散歩運動地域例えば、公園、学校のグラウンドなどと住宅地が近接するようになっている。このような状況下で、散歩運動時における犬の排泄物の処理を完全に行わないと、地面に放置された犬糞は、悪臭を放ったりするのみならず環境衛生上また、飼主のマナーや公衆モラル上好ましくなく、社会問題ともなっている。
【０００３】
散歩運動時の随伴者は、犬糞を回収しこれを処理するマナーやモラル上の義務があり、一般的には、散歩時に小型のシャベルとビニール袋などを携行し、道路、公園などでの脱糞をシャベルですくい取り、ビニール袋などに収容し、自宅に持ち帰り処分している。
【０００４】
犬糞の回収処理具としては、地面に落下した犬糞を左右の指を使う、紙製のすくい取り具（例えば、特許文献１参照）、柄の先端に設けられた糞受け用のＵ字状開放部を設けた袋支持枠と、柄の適宜部位に設けられた帯や紐を挟持する係止部から構成された、犬糞などの収納具（特許文献２参照）あるいは、柄の先に輪を取り付け、輪の付け根に相当する柄の先端に折返し部を形成した、犬の糞受け（特許文献３参照）など多数の提案がなされている。
【特許文献１】特開２００１−７８６１０号公報
【特許文献２】特開平１１−２２５６０２号公報
【特許文献３】登録実用新案３００１５７２号公報
【考案の開示】
【考案が解決しようとする課題】
【０００５】
しかしながら、シャベルとビニール袋を携行するのは、体裁が悪い上にその処理作業は面倒かつおっくうであるため、ビニール袋などを携行しないか又は、その処理を怠りがちで、近隣住民には多大な迷惑となっている。
【０００６】
特許文献１に開示する、「使い捨て犬の糞すくい取り具」によれば、紙製で携行には軽くて都合が良いが、左右の指を使いすくい取るために非衛生的である。
【０００７】
また特許文献２に開示する、「犬の糞などの受け収納具及び収納袋」は、柄の先端に設けた袋支持枠に収納袋を装着し、帯や紐を係止部に挟持する構成であるため、悪天候とりわけ強風時には、脱糞の捕捉が困難でありかつ、収納袋が風により吹き飛ばされる虞がある。
【０００８】
さらに、特許文献３に開示する、「犬の糞受け」は、特許文献２と同様に、柄の先に輪を取り付け、ポリエチレン袋を輪に包み込むようにとりつけてなるから、特許文献２と同様に、強風時には、ポリエチレン袋が風により吹き飛ばされる虞がある。 本考案は、上記従来の問題点に着目してなされたものであり、道路、公園などに犬糞を落下させることなく簡易に愛犬の糞を容易に捕捉、処理することができる、犬糞処理具を提供する
ことを目的としている。
【課題を解決するための手段】
【０００９】
請求項の１は、水溶性かつ柔軟性を有する円形状シート又は上方を開口とした有底の円筒状筒体よりなる犬糞捕捉体と、前記犬糞捕捉体を収容、保持する、軽量かつ硬質素材よりなる有底円筒状の保持容器と、前記保持容器の外側壁に装着された連結用アングルを介し、保持容器に傾斜して装着された握持杆と、上面略中央部に垂直棒を立設し、また左側外周斜面部には蝶番取付板を水平状に突設してなり、前記保持容器に収容、保持された犬糞捕捉体の上周縁を被覆し、握持杆に連設された開閉手段により、自在に開閉する蓋体と、前記犬糞捕捉体の上周縁を保持容器の上周壁に固定する、伸縮性紐体と、よりなることを特徴とするものである。
【００１０】
請求項２の考案は、請求項１において、前記水溶性かつ柔軟性を有するシートが、紙又は不織布よりなることを特徴とするものである。
【００１１】
請求項３の考案は、請求項１〜請求項２において、前記保持容器、蓋体及び握持杆などの素材が、硬質樹脂、鉄、アルミニウム又は木材であることを特徴とするものである。
【考案の効果】
【００１２】
本考案に係る、犬糞処理具は上記の構成をもってなるから、以下の効果を奏する。（１）犬糞捕捉体の取付け準備及び捕捉した犬糞の後処理が、簡便である。即ち、準備段階においては、水溶性かつ柔軟性を有する円形状シート又は予め、有底円筒状に成型された筒体（犬糞捕捉体）を開蓋した保持容器内に嵌装し、伸縮性紐体で該犬糞捕捉体の折り返された上周縁を、保持容器の上周壁に固定した後、蓋体を閉蓋して終了する。またその後処理は、蓋体を開蓋し、伸縮性紐体を保持容器の上周壁から取脱して、自宅又は公園などの大便器内に犬糞捕捉体と共に投入し、流水してその後処理は完了する。（２）簡単な構造であるから、脱糞の捕捉作業が容易であり、犬糞捕捉体は、上部を蓋体により被覆されかつ、その上周縁は、保持容器の上周壁に伸縮性紐体で強く固定されているので、強風などの悪天候時においてもその使用に支障がない。（３）脱糞の捕捉及び後処理において、犬糞が随伴者の手、指などに直接又は間接的にも接触しないので、衛生的である。（４）主な構成部材が、軽量素材よりなっているので、携行に便利である。（５）脱糞は、直接に犬糞捕捉体で捕捉され、地面に落下することがなく、犬糞は犬糞捕捉体で包被されたまま、公園又は自宅の大便器に投入後、流水処理されるので、環境衛生上においても好ましく、ペット飼育者のマナー向上にも貢献する。
【考案を実施するための最良の形態】
【００１３】
本考案の実施の形態を添付の図面に基づいて詳細に説明する。図１は、本考案に係る犬糞処理具の構成部材をそれぞれ分離して示す斜視図で、図２は、その組立と使用状態を示す一部切欠断面図、図３及び図４は、犬糞捕捉体（以下、捕捉体という）の他の実施例を示す縦断面図である。
【００１４】
図１及び図２において、１は捕捉体で、水溶性かつ柔軟性を有する厚さは、約０．２ｍｍ〜０．５ｍｍの紙又は不織布製のシート体を切断機又はプレス機などにより円形状にカットしたもので、その直径は、保持容器２内にこれを嵌装した時、少なくともその上周縁１ａが保持容器２の上端２ｉより高くなるように設定される。
【００１５】
保持容器２は軽量かつ硬質素材例えば、硬質塩化ビニール又はＦＲＰを有底円筒状に一体的に形成してなり、その外周左側壁にねじ孔２ａ、２ｂが穿設されている。２ｃは握持杆３との連結用アングルで、アルミ又は薄鉄板を素材とし、垂直部と約４５度の斜辺部を形成し、垂直部には保持容器２のねじ孔２ａ、２ｂに対応する貫通孔２ｄ、２ｅ
が設けられ、斜辺部には、貫通孔２ｆ、２ｇが設けられている。Ｂは固着用のボルトである。
【００１６】
握持杆３は、保持容器２及び蓋体４と同質部材又は異質部材で製作され、その下方部には貫通孔３ａ、３ｂが穿設されており、その中間部には牽引紐５の長さを規制するための挿通孔３ｄを設けた係止ピン３ｃが立設されている。握持杆３の全体長さは、好適には約３４ｃｍ〜３８ｃｍとしている。Ｎは、アングル２ｃと握持杆３の固着用のナットである。
【００１７】
蓋体４の上面略中央部には、牽引紐５の一端を緊縛するための垂直棒４ａが立設され、
またその外周斜面部には蓋体４の開閉を行う蝶番６の取付板４ｂが、蓋体４の上面と水平状に突設され、蝶番６と協動して蓋体４の開閉を行う牽引紐５の他端には、随伴者の指掛け用ループ５ａとストッパー用の結節部５ｂが形成されている。７は捕捉体１の上周縁１ａを保持容器２の上周壁２ｈに挟着するための環状の伸縮性紐体で、その直径は、少なくとも保持容器２の外周直径Ｄよりも小径とされている。
【００１８】
本考案に係る犬糞処理具の主な構成部材は、上記の通りで、つぎにその組立手順について説明する。
【００１９】
まず、アングル２ｃの垂直部に設けた貫通孔２ｄ、２ｅを保持容器２の外周左側壁に設けられたねじ孔２ａ、２ｂに当接し、ボルトＢにより固着する。つぎにアングル２ｃの斜辺部に設けた貫通孔２ｆ、２ｇを握持杆３に設けた貫通孔３ａ、３ｂに当接し、ボルトＢ’及びナットＮにより固着する。
【００２０】
続いて図１に示すように捕捉体１である紙又は不織布製の円形状シートの中心部Ｃ近傍を、指先などで保持容器２内に押入（矢印Ｐ）しながらその略中心底部に到達するように嵌装する。このとき捕捉体１の上周縁１ａは、少なくとも保持容器２の上端２ｉより突出するように設定されている。さらに、その捕捉体１の上周縁１ａを保持容器２の上端２ｉを支点として上周壁２ｈに沿って下方に折り返し、続いて環状の伸縮性紐体７例えば、ゴム紐などで折返し部を保持容器２の上周壁２ｈに挟着する。
【００２１】
図２に示すように、保持容器２に収容された捕捉体１の上部には、蓋体４が被せられ、蝶番６の一側は蓋体４の取付板４ｂにまた、他側は握持杆３の下端部３ｅにそれぞれビスなどにより固定される。 
【００２２】
牽引紐５は、その一端から握持杆３の係止ピン３ｃの挿通孔３ｄを挿通させ、蓋体４の垂直棒４ａの上端で緊縛され、他端の指掛け用ループ５ａの結節部５ｂは、係止ピン３ｃに当接し、緊張状態を保持している。なお、保持容器２とアングル２ｃ及び把持杆３は、係止ピンで固着するのでなく、接着剤か、溶接で固着することもできる。また、保持容器２と把持杆３を一体成型化することもできる。
【００２３】
本考案に係る犬糞処理具の使用態様は以下の通りである。犬散歩運動時において、随伴者は、片手は犬のロープを握り、他方の手の人差し指を、牽引紐５の指掛け用ループ５ａに掛持し、他の四本の指で握持杆３の係止ピン３ｃの上方部を握りながら歩行し、犬が排泄行為の気配を見せたときは、素早く保持容器２を犬の肛門下の地面ＧＬに滑込ませながら、人差し指を手前に引くと蓋体４は、蝶番６により簡単に開蓋し、脱糞を捕捉体１で捕捉することができる。
【００２４】
排泄行為が終了したなら、握持杆３を手前に引き上げると共に人差し指を元の状態に戻すと、蝶番６が回動して蓋体４は簡単に閉蓋し再び、人差し指を、牽引紐５の指掛け用ループ５ａに掛持し、他の四本
で握持杆３を握りながら散歩運動は継続され、公園又は自宅などの便器前で蓋体４は、
開蓋され、伸縮性紐体７を保持容器２の上周壁２ｈから開放した後、捕捉体１の上周縁１ａを集束し、犬糞は捕捉体１に包被された状態で大便器に投入され流水処理される。
【００２５】
図３は捕捉体１’の第二の実施例を示し、水溶性を有する不織布又は紙製シートを、プレス機などにより有底の円筒状筒体として一体的に成型したもので、保持容器２内に嵌装後、その上周縁１’ａは上端２ｉを支点として上周壁２ｈに沿って矢印のように下方に折り返され、続いて環状の伸縮性紐体７などで折返し部を保持容器２の上周壁２ｈに挟着される。
【００２６】
図４は捕捉体１’’の第三の実施例を示し、水溶性を有する不織布又は紙製シートを、プレス機などにより鍔状の上周縁１’’ａ付き有底の円筒状筒体として一体的に成型したもので、保持容器２内に嵌装後、その上周縁１’’ａは上端２ｉを支点として上周壁２ｈに沿って矢印のように下方に折り返され、続いて環状の伸縮性紐体７などで折返し部を保持容器２の上周壁２ｈに挟着される。
【００２７】
捕捉体１、１’及び１’’の直径、高さ寸法などは、保持容器２の直径、高さ寸法などに適合するように設定、作成される。
【産業上の利用可能性】
【００２８】
請求項１に係る犬糞処理具によれば、捕捉体１、１’又は１’’が、水溶性かつ柔軟性を有する円形状シート又は有底円筒状に成型された筒体であるので、その取付け準備及び捕捉した犬糞の後処理が簡便であると共に、脱糞の捕捉作業が容易であり、かつ蓋体４により被覆された捕捉体１、１’、１’’の上周縁１ａ、１’ａ、１’’ａは、保持容器２の上周壁２ｈに伸縮性紐体７で強く固定、保持されているので強風などの悪天候時においてもその使用に支障がない。
【００２９】
請求項２に係る犬糞処理具によれば、脱糞の捕捉及び後処理は、水溶性かつ柔軟性を有する紙又は不織布製の捕捉体１、１’又は１’’で行い、随伴者の手、指などに直接又は間接的にも接触することなく、公園、家庭などの大便器で流水処理されるので極めて衛生的であるのみならず、環境衛生上においても好ましく、ペット飼育者のマナー向上にも貢献する。
【００３０】
請求項３に係る犬糞処理具によれば、捕捉体１、１’、１’’を除いた主な構成部材である、保持容器２、握持杆３及び蓋体４などが硬質かつ軽量素材よりなっているので、携行及び脱糞の捕捉作業にも便利である。
【図面の簡単な説明】
【００３１】
【図１】本考案に係る犬糞処理具の構成部材を分離して示す斜視図である。
【図２】同組立と使用状態を示す一部切欠断面図である。
【図３】捕捉体１’の第二の実施例を示す断面図である。
【図４】捕捉体１’’の第三の実施例を示す断面図である。
【符号の説明】
【００３２】
１、１’、１’’        捕捉体
１ａ                  上周縁
２                    保持容器
２ｈ                  上周壁
３                    握持杆
４                    蓋体
５                    牽引紐
６                    蝶番
７                    伸縮性紐体
【図１】
0003102111.tif 000003
【図２】
0003102111.tif 000004
【図３】
0003102111.tif 000005
【図４】
0003102111.tif 000006